(57)【要約】【課題】放電ランプの寿命末期だけでなくフィラメントの断線やルーズコンタクト状態を検出し、保護動作を行なう放電灯点灯装置を提供する。【解決手段】インバータ回路２と放電ランプＬａとの間に出力トランスＴ１を設け、出力トランスＴ１の検出用巻線ｎ３の出力によりランプ寿命検出回路４が放電ランプＬａの寿命末期を検出する。また、放電ランプＬａのフィラメントに直流電流を流しておき、第１のフィラメント検出回路５では直流電源の有無によりフィラメントの段線の有無を検出する。さらに、放電ランプＬａの点灯時にフィラメントに流れる電流の平衡・不平衡に基づいて第２のフィラメント検出回路６がルーズコンタクトを検出する。ランプ寿命検出回路４と第１のフィラメント検出回路５と第２のフィラメント検出回路６とのいずれかが異常を検出すると、インバータ回路２を予熱時のスイッチング周波数で動作させる。【選択図】図１
2008159599.tif 000002
【特許請求の範囲】
【請求項１】
直流電源を高周波電力に変換するインバータ回路と、インバータ回路の出力を昇圧して放電ランプに印加する出力トランスと、インバータ回路と出力トランスとの間に挿入された共振回路と、インバータ回路の出力を受けて放電ランプのフィラメントに予熱電流を流す予熱トランスと、インバータ回路から放電ランプのフィラメントへの予熱電流経路に挿入されインバータ回路の動作周波数が高いほど予熱電流を増加させるフィルタと、出力トランスに設けた検出用巻線の両端電圧の上昇時に放電ランプの寿命末期と判断するランプ寿命検出回路と、放電ランプの両フィラメント間にインピーダンス要素を挿入した直列回路に電流を流すとともにこの電流の有無を検出する第１のフィラメント検出回路と、放電ランプの点灯時に両フィラメントに流れる電流の平衡・不平衡を検出する第２のフィラメント検出回路と、ランプ寿命検出回路により放電ランプの寿命末期が検出されるか第１のフィラメント検出回路によりフィラメントを通る電流が検出されないか第２のフィラメント検出回路により両フィラメントを流れる電流の不平衡が検出されると異常と判断して、インバータ回路の動作周波数を共振回路の共振周波数よりも高く設定されている放電ランプの点灯時の周波数よりもさらに高く設定するランプ異常保護回路とを具備することを特徴とする放電灯点灯装置。
【請求項２】
直流電源を高周波電力に変換するインバータ回路と、インバータ回路の出力を昇圧して放電ランプに印加する出力トランスと、インバータ回路と出力トランスとの間に挿入された共振回路と、インバータ回路の出力を受けて放電ランプのフィラメントに予熱電流を流す予熱トランスと、インバータ回路から放電ランプのフィラメントへの予熱電流経路に挿入されインバータ回路の動作周波数が高いほど予熱電流を増加させるフィルタと、出力トランスに設けた検出用巻線の両端電圧の上昇時に放電ランプの寿命末期と判断するランプ寿命検出回路と、放電ランプの両フィラメント間にインピーダンス要素を挿入した直列回路に電流を流すとともにこの電流の有無を検出する第１のフィラメント検出回路と、ランプ寿命検出回路により放電ランプの寿命末期が検出されるか第１のフィラメント検出回路によりフィラメントを通る電流が検出されないと異常と判断して、インバータ回路の動作周波数を共振回路の共振周波数よりも高く設定されている放電ランプの点灯時の周波数よりもさらに高く設定するランプ異常保護回路とを具備することを特徴とする放電灯点灯装置。
【請求項３】
直流電源を高周波電力に変換するインバータ回路と、インバータ回路の出力を昇圧して放電ランプに印加する出力トランスと、インバータ回路と出力トランスとの間に挿入された共振回路と、インバータ回路の出力を受けて放電ランプのフィラメントに予熱電流を流す予熱トランスと、インバータ回路から放電ランプのフィラメントへの予熱電流経路に挿入されインバータ回路の動作周波数が高いほど予熱電流を増加させるフィルタと、出力トランスに設けた検出用巻線の両端電圧の上昇時に放電ランプの寿命末期と判断するランプ寿命検出回路と、放電ランプの点灯時に両フィラメントに流れる電流の平衡・不平衡を検出する第２のフィラメント検出回路と、ランプ寿命検出回路により放電ランプの寿命末期が検出されるか第２のフィラメント検出回路により両フィラメントを流れる電流の不平衡が検出されると異常と判断して、インバータ回路の動作周波数を共振回路の共振周波数よりも高く設定されている放電ランプの点灯時の周波数よりもさらに高く設定するランプ異常保護回路とを具備することを特徴とする放電灯点灯装置。
【請求項４】
ランプ異常保護回路は、異常と判断すると出力を異常側に保持し、正常な放電ランプに交換した後に第１のフィラメント検出回路によりフィラメントに流れる電流が検知されると異常側の保持を解除することを特徴とする請求項１または請求項２記載の放電灯点灯装置。
【請求項５】
放電ランプは、各フィラメントにそれぞれ温度ヒューズが直列接続されていることを特徴とする請求項１〜４のいずれか１項に記載の放電灯点灯装置。
【請求項６】
ランプ異常保護回路は、異常と判断するとインバータ回路の動作周波数を放電ランプの予熱時の周波数付近に設定することを特徴とする請求項１〜５のいずれか１項に記載の放電灯点灯装置。
【請求項７】
インバータ回路の動作周波数は、放電ランプの点灯時の動作周波数を１０〜１００ｋＨｚの範囲内で設定し、ランプ異常保護回路が異常と判断するとインバータ回路の動作周波数を１００ｋＨｚ以上に設定することを特徴とする請求項１〜６のいずれか１項に記載の放電灯点灯装置。 
【発明の詳細な説明】
【技術分野】
【０００１】
本発明は、放電灯点灯装置に関するものである。
【背景技術】
【０００２】
近年、細径かつ高出力の放電ランプが開発され、この種の放電ランプは従来より普及している蛍光ランプに比較すると高い電圧を印加する必要がある。したがって、この種の放電ランプを点灯させる放電灯点灯装置としては、図１０に示すように、商用電源のような交流電源を整流した脈流電圧をチョッパ回路１を用いて昇圧し、チョッパ回路１より出力される直流電圧をインバータ回路２を用いて高周波交番電圧に変換するだけでなく、インバータ回路２の出力電圧を出力トランスＴ１により昇圧して放電ランプＬａに印加することが考えられる。また、放電ランプＬａのフィラメントに十分な予熱電流を流すために出力トランスＴ１とは別に予熱トランスＴ２を設けている。予熱トランスＴ２に２次巻線として設けた一対の予熱巻線ｎｐにはそれぞれ直流カット用のコンデンサＣ６，Ｃ７を介して放電ランプＬａのフィラメントが接続される。なお、予熱トランスを備えた放電灯点灯装置はたとえば特許文献１に記載されている。
【０００３】
このインバータ回路２は、インダクタＬ２とコンデンサＣ２とからなる共振回路を通して出力トランスＴ１の１次巻線に電圧を印加するように構成され、スイッチング素子Ｑ２，Ｑ３をオンオフさせる動作周波数を変化させることにより放電ランプＬａの両端電圧を調節するように構成されている。したがって、放電ランプＬａの両端に電圧を印加する出力トランスＴ１と、放電ランプＬａのフィラメントに予熱電流を流す予熱トランスＴ２とを別に設け、インバータ回路２の動作周波数を予熱用、始動用、定常点灯用などに変化させたときに、それぞれ望ましい条件が得られるようにしているのである。ここにおいて、インバータ回路２の動作周波数は負荷回路の共振周波数よりも高い領域に設定される。
【０００４】
インダクタＬ２とコンデンサＣ２とからなる共振回路は一種のローパスフィルタを構成するから、インバータ回路２の動作周波数が高いほど放電ランプＬａの両端の印加電圧は低くなる。また、インバータ回路２における上記共振回路との接続端間にはコンデンサＣ５を介して予熱トランスＴ２の１次巻線が接続されるから、インバータ回路２の動作周波数が高いほど予熱トランスＴ２の１次巻線に流れる電流が増加することになる。そこで、予熱時には動作周波数を高く設定して放電ランプＬａの両端への印加電圧を低くするとともに、予熱トランスＴ２の１次巻線への供給電流を増加させ、予熱トランスＴ２への供給電力を出力トランスＴ１への供給電力よりも相対的に大きくするのである。
【特許文献１】特開平８−１７５８５号公報
【発明の開示】
【発明が解決しようとする課題】
【０００５】
ところで、放電ランプＬａの両端間には放電ランプＬａの両端電圧の異常上昇を検出するランプ寿命検出回路３が設けられ、ランプ寿命検出回路３が放電ランプＬａの両端電圧の異常上昇を検出すると、インバータ回路２のスイッチング素子Ｑ２，Ｑ３のスイッチング動作を制御しているインバータ制御回路ＣＮ２に対してスイッチング素子Ｑ２，Ｑ３のオンオフの停止を指示する。つまり、放電ランプＬａの寿命末期時にはインバータ回路２の動作を停止させる。この動作により放電ランプＬａの寿命末期時における回路構成部品へのストレスを防止することができる。
【０００６】
一方、放電ランプＬａの点灯中にフィラメントが断線しても、放電ランプＬａは点灯状態を維持するから、放電ランプＬａの両端電圧は上昇せず、ランプ寿命検出回路３は動作しない。ここで、フィラメントが断線していなければ、予熱トランスＴ２の予熱巻線ｎｐとコンデンサＣ６，Ｃ７との直列回路の両端間がフィラメントを介して接続されていることにより、出力トランスＴ１の２次側から予熱トランスＴ２の予熱巻線ｎｐとコンデンサＣ６，Ｃ７との直列回路に流れる電流は少ないが、フィラメントが断線すると、予熱巻線ｎｐとコンデンサＣ６，Ｃ７とに流れる電流が増加するから、コンデンサＣ６，Ｃ７や予熱巻線ｎｐの発熱量が増加する。つまり、このような場合の発熱量を見込んで、予熱トランスＴ2やコンデンサＣ６，Ｃ７に大型のものを用いなければならず、放電灯点灯装置が大型化するという問題がある。
【０００７】
また、出力トランスＴ１の２次側と放電ランプＬａとの接続に不良部分（たとえば、ランプソケットへの放電ランプＬａの差込み状態が緩い部分）があると、出力トランスＴ１の２次巻線から放電ランプＬａに至る経路における接続不良部分が高抵抗になる。以下では、このような状態をルーズコンタクト状態という。上述したように、この種の放電ランプＬａは印加電圧が高いものであるから、高抵抗の接続不良部分ではアークが発生しやすくなり、その結果、インバータ回路２のスイッチング素子Ｑ２，Ｑ３に過大なストレスがかかってスイッチング素子Ｑ２，Ｑ３が破損したり、ランプソケットなどの構造部品の安全性が低下したりすることもある。
【０００８】
さらに、上述のようにランプ寿命検出回路３が作動してインバータ回路２の動作が停止したときに、放電ランプＬａを交換した後に電源を一旦遮断して制御回路ＣＮ２をリセットする必要があるから、電源リセットを行なうための回路部品が必要となり、回路部品の部品点数が増加し、これも放電灯点灯装置の大型化につながるという問題がある。
【０００９】
本発明は、上記事由に鑑みて為されたものであって、その目的は、放電ランプの寿命末期だけではなく、フィラメントの断線やルーズコンタクト状態も検出可能として大型化を防止するとともに破損や安全性の低下を防止し、さらに、放電ランプの交換時における電源リセットを不要にして一層の小型化を可能とした放電灯点灯装置を提供することにある。
【課題を解決するための手段】
【００１０】
請求項１の発明は、直流電源を高周波電力に変換するインバータ回路と、インバータ回路の出力を昇圧して放電ランプに印加する出力トランスと、インバータ回路と出力トランスとの間に挿入された共振回路と、インバータ回路の出力を受けて放電ランプのフィラメントに予熱電流を流す予熱トランスと、インバータ回路から放電ランプのフィラメントへの予熱電流経路に挿入されインバータ回路の動作周波数が高いほど予熱電流を増加させるフィルタと、出力トランスに設けた検出用巻線の両端電圧の上昇時に放電ランプの寿命末期と判断するランプ寿命検出回路と、放電ランプの両フィラメント間にインピーダンス要素を挿入した直列回路に電流を流すとともにこの電流の有無を検出する第１のフィラメント検出回路と、放電ランプの点灯時に両フィラメントに流れる電流の平衡・不平衡を検出する第２のフィラメント検出回路と、ランプ寿命検出回路により放電ランプの寿命末期が検出されるか第１のフィラメント検出回路によりフィラメントを通る電流が検出されないか第２のフィラメント検出回路により両フィラメントを流れる電流の不平衡が検出されると異常と判断して、インバータ回路の動作周波数を共振回路の共振周波数よりも高く設定されている放電ランプの点灯時の周波数よりもさらに高く設定するランプ異常保護回路とを具備するものである。この構成によれば、放電ランプの寿命末期をランプ寿命検出回路により検出することができ、フィラメントの断線を第１のフィラメント検出回路で検出することができ、ルーズコンタクト状態を第２のフィラメント検出回路で検出することができる。また、ランプ寿命検出回路はルーズコンタクト状態を検出することが可能であり、第２のフィラメント検出回路は一方のフィラメントの断線を検出することが可能である。したがって、これらの異常を総合的に検出してインバータ回路の出力を抑制することができて、インバータ回路の回路構成素子へのストレスが低減でき、安全性、信頼性の高い放電灯点灯装置を提供することができる。さらに、異常と判断したときに、インバータ回路の動作周波数を放電ランプの点灯時よりも高い周波数に設定するのであって、異常時にもインバータ回路の動作を停止させないから、放電ランプを交換して正常であることが検出されたときに自動的に放電ランプを点灯状態に復帰させることが可能であり、従来構成のような電源リセット回路が不要である。このことにより、構成回路部品の部品点数が少なくなり、一層の小型化につながる。ここで、異常と判断されるとインバータ回路の動作周波数を高くすることで、共振回路を通して放電ランプに供給される電力を低減することができ、結果的に放電ランプの両端電圧を低減することができる。したがって、放電ランプの交換時に感電することも防止される。
【００１１】
請求項２の発明は、直流電源を高周波電力に変換するインバータ回路と、インバータ回路の出力を昇圧して放電ランプに印加する出力トランスと、インバータ回路と出力トランスとの間に挿入された共振回路と、インバータ回路の出力を受けて放電ランプのフィラメントに予熱電流を流す予熱トランスと、インバータ回路から放電ランプのフィラメントへの予熱電流経路に挿入されインバータ回路の動作周波数が高いほど予熱電流を増加させるフィルタと、出力トランスに設けた検出用巻線の両端電圧の上昇時に放電ランプの寿命末期と判断するランプ寿命検出回路と、放電ランプの両フィラメント間にインピーダンス要素を挿入した直列回路に電流を流すとともにこの電流の有無を検出する第１のフィラメント検出回路と、ランプ寿命検出回路により放電ランプの寿命末期が検出されるか第１のフィラメント検出回路によりフィラメントを通る電流が検出されないと異常と判断して、インバータ回路の動作周波数を共振回路の共振周波数よりも高く設定されている放電ランプの点灯時の周波数よりもさらに高く設定するランプ異常保護回路とを具備するものである。この構成では、第２のフィラメント検出回路が設けられていないが、ランプ寿命検出回路における判断を適宜に行なうことによりルーズコンタクト状態の検出が可能になり、請求項１の発明とほぼ同様の機能を持ちながらも回路構成が簡単になる。つまり、一層の小型化、軽量化、低コスト化につながる。
【００１２】
請求項３の発明は、直流電源を高周波電力に変換するインバータ回路と、インバータ回路の出力を昇圧して放電ランプに印加する出力トランスと、インバータ回路と出力トランスとの間に挿入された共振回路と、インバータ回路の出力を受けて放電ランプのフィラメントに予熱電流を流す予熱トランスと、インバータ回路から放電ランプのフィラメントへの予熱電流経路に挿入されインバータ回路の動作周波数が高いほど予熱電流を増加させるフィルタと、出力トランスに設けた検出用巻線の両端電圧の上昇時に放電ランプの寿命末期と判断するランプ寿命検出回路と、放電ランプの点灯時に両フィラメントに流れる電流の平衡・不平衡を検出する第２のフィラメント検出回路と、ランプ寿命検出回路により放電ランプの寿命末期が検出されるか第２のフィラメント検出回路により両フィラメントを流れる電流の不平衡が検出されると異常と判断して、インバータ回路の動作周波数を共振回路の共振周波数よりも高く設定されている放電ランプの点灯時の周波数よりもさらに高く設定するランプ異常保護回路とを具備するものである。この構成によれば、第１のフィラメント検出回路が設けられていないが、第２のフィラメント検出回路では一方のフィラメントの断線が検出可能であるから、請求項１の発明の構成とほぼ同様の機能を持ちながらも回路構成が簡単になり、一層の小形化、軽量化、低コスト化につながる。
【００１３】
請求項４の発明は、請求項１または請求項２の発明において、ランプ異常保護回路が、異常と判断すると出力を異常側に保持し、正常な放電ランプに交換した後に第１のフィラメント検出回路によりフィラメントに流れる電流が検知されると異常側の保持を解除するものである。この構成は請求項１または請求項２の発明の望ましい実施態様であり、放電ランプに異常が生じたときに正常なランプに交換するまでは異常側に保持されるから放電ランプの交換を安全に行なうことができ、しかも正常な放電ランプに交換したことを第１のフィラメント検出回路により検出して正常な点灯状態に復帰させるから電源リセット回路が不要になる。
【００１４】
請求項５の発明は、請求項１〜４のいずれかの発明において、放電ランプとして、各フィラメントにそれぞれ温度ヒューズが直列接続されているものを用いている。この構成によれば、放電灯の異常によりフィラメントの一端に内蔵された温度ヒューズが断線すると同時に第１のフィラメント検出回路が異常を検出してインバータ回路を保護するから、より一層安全で信頼性の高い放電灯点灯装置を提供することができる。
【００１５】
請求項６の発明は、請求項１〜５のいずれかの発明において、ランプ異常保護回路が、異常と判断するとインバータ回路の動作周波数を放電ランプの予熱時の周波数付近に設定するものである。したがって、異常の生じた放電ランプを正常な放電ランプに交換したときにただちに予熱状態になり、点灯状態に復帰させるのが一層容易になる。
【００１６】
請求項７の発明は、請求項１〜６のいずれかの発明において、インバータ回路の動作周波数として、放電ランプの点灯時の動作周波数が１０〜１００ｋＨｚの範囲内で設定され、ランプ異常保護回路が異常と判断するとインバータ回路の動作周波数が１００ｋＨｚ以上に設定されるものである。この構成は望ましい実施態様である。
【発明の効果】
【００１７】
請求項１の発明は、直流電源を高周波電力に変換するインバータ回路と、インバータ回路の出力を昇圧して放電ランプに印加する出力トランスと、インバータ回路と出力トランスとの間に挿入された共振回路と、インバータ回路の出力を受けて放電ランプのフィラメントに予熱電流を流す予熱トランスと、インバータ回路から放電ランプのフィラメントへの予熱電流経路に挿入されインバータ回路の動作周波数が高いほど予熱電流を増加させるフィルタと、出力トランスに設けた検出用巻線の両端電圧の上昇時に放電ランプの寿命末期と判断するランプ寿命検出回路と、放電ランプの両フィラメント間にインピーダンス要素を挿入した直列回路に電流を流すとともにこの電流の有無を検出する第１のフィラメント検出回路と、放電ランプの点灯時に両フィラメントに流れる電流の平衡・不平衡を検出する第２のフィラメント検出回路と、ランプ寿命検出回路により放電ランプの寿命末期が検出されるか第１のフィラメント検出回路によりフィラメントを通る電流が検出されないか第２のフィラメント検出回路により両フィラメントを流れる電流の不平衡が検出されると異常と判断して、インバータ回路の動作周波数を共振回路の共振周波数よりも高く設定されている放電ランプの点灯時の周波数よりもさらに高く設定するランプ異常保護回路とを具備するものであり、放電ランプの寿命末期をランプ寿命検出回路により検出することができ、フィラメントの断線を第１のフィラメント検出回路で検出することができ、ルーズコンタクト状態を第２のフィラメント検出回路で検出することができるから、これらの異常を総合的に検出してインバータ回路の出力を抑制することができて、インバータ回路の回路構成素子へのストレスが低減でき、安全性、信頼性の高い放電灯点灯装置を提供することができるという利点がある。さらに、異常と判断したときに、インバータ回路の動作周波数を放電ランプの点灯時よりも高い周波数に設定するのであって、異常時にもインバータ回路の動作を停止させないから、放電ランプを交換して正常であることが検出されたときに自動的に放電ランプを点灯状態に復帰させることが可能であって、従来構成のような電源リセット回路が不要であるという利点がある。すなわち、構成回路部品の部品点数が少なくなり、一層の小型化につながるという利点がある。しかも、異常と判断されるとインバータ回路の動作周波数を高くすることで、共振回路を通して放電ランプに供給される電力を低減することができ、結果的に放電ランプの両端電圧を低減することができるから、放電ランプの交換時に感電することも防止されるという利点がある。
【００１８】
請求項２の発明は、直流電源を高周波電力に変換するインバータ回路と、インバータ回路の出力を昇圧して放電ランプに印加する出力トランスと、インバータ回路と出力トランスとの間に挿入された共振回路と、インバータ回路の出力を受けて放電ランプのフィラメントに予熱電流を流す予熱トランスと、インバータ回路から放電ランプのフィラメントへの予熱電流経路に挿入されインバータ回路の動作周波数が高いほど予熱電流を増加させるフィルタと、出力トランスに設けた検出用巻線の両端電圧の上昇時に放電ランプの寿命末期と判断するランプ寿命検出回路と、放電ランプの両フィラメント間にインピーダンス要素を挿入した直列回路に電流を流すとともにこの電流の有無を検出する第１のフィラメント検出回路と、ランプ寿命検出回路により放電ランプの寿命末期が検出されるか第１のフィラメント検出回路によりフィラメントを通る電流が検出されないと異常と判断して、インバータ回路の動作周波数を共振回路の共振周波数よりも高く設定されている放電ランプの点灯時の周波数よりもさらに高く設定するランプ異常保護回路とを具備するものであり、第２のフィラメント検出回路が設けられていないが、ランプ寿命検出回路における判断を適宜に行なうことによりルーズコンタクト状態の検出が可能であるから、請求項１の発明とほぼ同様の機能を持ちながらも回路構成が簡単になるのであって、一層の小型化、軽量化、低コスト化につながるという利点がある。
【００１９】
請求項３の発明は、直流電源を高周波電力に変換するインバータ回路と、インバータ回路の出力を昇圧して放電ランプに印加する出力トランスと、インバータ回路と出力トランスとの間に挿入された共振回路と、インバータ回路の出力を受けて放電ランプのフィラメントに予熱電流を流す予熱トランスと、インバータ回路から放電ランプのフィラメントへの予熱電流経路に挿入されインバータ回路の動作周波数が高いほど予熱電流を増加させるフィルタと、出力トランスに設けた検出用巻線の両端電圧の上昇時に放電ランプの寿命末期と判断するランプ寿命検出回路と、放電ランプの点灯時に両フィラメントに流れる電流の平衡・不平衡を検出する第２のフィラメント検出回路と、ランプ寿命検出回路により放電ランプの寿命末期が検出されるか第２のフィラメント検出回路により両フィラメントを流れる電流の不平衡が検出されると異常と判断して、インバータ回路の動作周波数を共振回路の共振周波数よりも高く設定されている放電ランプの点灯時の周波数よりもさらに高く設定するランプ異常保護回路とを具備するものであり、第１のフィラメント検出回路が設けられていないが、第２のフィラメント検出回路では一方のフィラメントの断線が検出可能であるから、請求項１の発明の構成とほぼ同様の機能を持ちながらも回路構成が簡単になり、一層の小形化、軽量化、低コスト化につながるという利点がある。
【００２０】
請求項４の発明のように、ランプ異常保護回路が、異常と判断すると出力を異常側に保持し、正常な放電ランプに交換した後に第１のフィラメント検出回路によりフィラメントに流れる電流が検知されると異常側の保持を解除するものでは、放電ランプに異常が生じたときに正常なランプに交換するまでは異常側に保持されるから放電ランプの交換を安全に行なうことができ、しかも正常な放電ランプに交換したことを第１のフィラメント検出回路により検出して正常な点灯状態に復帰させるから電源リセット回路が不要になるという利点がある。
【００２１】
請求項５の発明のように、放電ランプとして、各フィラメントにそれぞれ温度ヒューズが直列接続されているものを用いると、放電灯の異常によりフィラメントの一端に内蔵された温度ヒューズが断線すると同時に第１のフィラメント検出回路が異常を検出してインバータ回路を保護するから、より一層安全で信頼性の高い放電灯点灯装置を提供することができるという利点がある。
【００２２】
請求項６の発明のように、ランプ異常保護回路が、異常と判断するとインバータ回路の動作周波数を放電ランプの予熱時の周波数付近に設定するものでは、異常の生じた放電ランプを正常な放電ランプに交換したときにただちに予熱状態になり、点灯状態に復帰させるのが一層容易になるという利点がある。
【発明を実施するための最良の形態】
【００２３】
（実施形態１）
本実施形態は、図１に示すように、図１０に示した従来の放電灯点灯装置と同様に、チョッパ回路１とインバータ回路２と出力トランスＴ１と予熱トランスＴ２とを備える。
【００２４】
チョッパ回路１は、商用電源のような交流電源を全波整流して得た脈流電圧を入力とするものであり、入力電圧をインダクタＬ１とＭＯＳＦＥＴよりなるスイッチング素子Ｑ１との直列回路に印加する。また、スイッチング素子Ｑ１にはダイオードＤ１と平滑用のコンデンサＣ０との直列回路が並列接続される。スイッチング素子Ｑ１はチョッパ制御回路ＣＮ１により、交流電源の周波数（電源周波数）よりも十分に高い周波数でスイッチングされる。
【００２５】
周知のように、このチョッパ回路１は昇圧型であって、スイッチング素子Ｑ１のオン時にインダクタＬ１に蓄積されたエネルギをスイッチング素子Ｑ１のオフ時にダイオードＤ１を通してコンデンサＣ０に放出する。したがって、入力電圧とインダクタＬ１の両端電圧との加算電圧がコンデンサＣ０に印加されることにより、コンデンサＣ０を入力電圧よりも昇圧することができるものである。スイッチング素子Ｑ１のゲート−ソース間にはツェナーダイオードＺＤ１が接続されてスイッチング素子Ｑ１のドレイン−ゲート間の短絡に対するチョッパ制御回路ＣＮ１の保護を行なっている。
【００２６】
インバータ回路２は、コンデンサＣ０の両端間に接続されたスイッチング素子Ｑ２，Ｑ３の直列回路を備え、両スイッチング素子Ｑ２，Ｑ３はインバータ制御回路ＣＮ２により高周波で交互にスイッチングされる。スイッチング素子Ｑ２，Ｑ３はＭＯＳＦＥＴであって、スイッチング素子Ｑ１と同様に、保護用のツェナーダイオードＺＤ２，ＺＤ３がゲート−ソース間に接続されている。一方のスイッチング素子Ｑ３には直流カット用のコンデンサＣ１を介して負荷回路が接続される。
【００２７】
上述のインバータ回路２は、ハーフブリッジ型と称するものであって、周知のようにスイッチング素子Ｑ２のオン期間にコンデンサＣ０→スイッチング素子Ｑ２→コンデンサＣ１→負荷回路→コンデンサＣ０の経路で電流が流れ、スイッチング素子Ｑ３のオン期間にコンデンサＣ１→スイッチング素子Ｑ３→負荷回路→コンデンサＣ１の経路で電流が流れるものである。このように、スイッチング素子Ｑ２，Ｑ３のオンオフにより負荷回路には交番した電流が流れる。また、スイッチング素子Ｑ２，Ｑ３は交互にオンオフされるが、同時にオンにならないようにインバータ制御回路ＣＮ２により制御される。
【００２８】
負荷回路は、インダクタＬ２およびコンデンサＣ２よりなる共振回路を介して出力トランスＴ１を接続し、出力トランスＴ１の２次側に放電ランプＬａを接続した部分と、フィルタとしてのコンデンサＣ５を介して予熱トランスＴ２を接続し、予熱トランスＴ２の２次側である予熱巻線ｎｐに放電灯Ｌａのフィラメントを接続した部分とからなる。インダクタＬ２は出力トランスＴ１の１次巻線に直列接続され、コンデンサＣ２は出力トランスＴ１の１次巻線に並列接続される。したがって、インダクタＬ２とコンデンサＣ２とからなる共振回路はローパスフィルタを構成し、インバータ回路２の動作周波数が高いほど出力トランスＴ１の１次側への供給電力は少なくなる。逆に、インバータ回路２の動作周波数が高いほどコンデンサＣ５を通過する電流が多くなり予熱トランスＴ２の１次巻線への供給電力は多くなる。
【００２９】
すなわち、インダクタＬ２とコンデンサＣ２とからなる共振回路の共振周波数よりもインバータ回路２の動作周波数を高い領域に設定し、予熱時にはインバータ回路２の動作周波数をさらに高い周波数に設定することにより、共振回路を通して出力トランスＴ１の１次巻線に印加される電圧を低くし、予熱トランスＴ2の１次巻線に流れる電流を多くする。したがって、予熱トランスＴ２の２次側の予熱巻線ｎｐから放電ランプＬａのフィラメントに供給される電流を多くして十分に予熱することができる。
【００３０】
一方、始動時にはインバータ回路２の動作周波数を予熱時よりも引き下げることにより、共振回路を通して出力トランスＴ１の１次側に印加される電圧が高くなり、またコンデンサＣ５のインピーダンスの増加により予熱トランスＴ２の１次巻線に流れる電流が低減される。したがって、放電ランプＬａの両端間に高電圧を印加して始動することができる。また、始動後には動作周波数を適宜に設定することで放電ランプＬａを定格点灯させたり、調光点灯させたりすることが可能になる。ここにおいて、出力トランスＴ１の２次巻線にはコンデンサＣ４が接続され、予熱トランスＴ２の２次巻線には直流カット用のコンデンサＣ６，Ｃ7を介して放電灯のフィラメントが接続される。
【００３１】
ところで、本実施形態では、放電ランプＬａの状態を３種類の情報により検出している。放電ランプＬａの寿命末期は、出力トランスＴ１に設けた検出用巻線ｎ３の両端電圧に基づいて検出している。フィラメント表面の電子放出物質が飛散した寿命末期時（いわゆるエミレス時）には、放電ランプＬａに印加される電圧の一方の極性でのみ点灯する半波点灯状態、あるいは非点灯状態になるから、放電ランプＬａの両端電圧が上昇し、その結果、出力トランスＴ１の検出用巻線ｎ３の両端電圧も上昇する。したがって、ランプ寿命検出回路４では、検出用巻線ｎ３の両端電圧を適宜の基準電圧と比較することにより、放電ランプＬａの寿命末期を検出することができる。ここに、ランプ寿命検出回路４では放電ランプＬａの寿命末期を検出したときに出力をＨレベルとし、常時は出力をＬレベルにしている。
【００３２】
放電ランプＬａの状態を検出する第２の情報は、放電ランプＬａの２つのフィラメントを通る経路に微小な直流電流を流すことによって得られるフィラメントの断線の有無である。つまり、インバータ回路２の電源であるコンデンサＣ０の両端から、抵抗Ｒ４−フィラメント−抵抗Ｒ５−フィラメント−抵抗Ｒ６の直列回路を含む回路に電流を流し、第１のフィラメント検出回路５では上記電流が流れていればフィラメントは正常であり、電流が流れなければフィラメントが断線していると判断するのである。第１のフィラメント検出回路５は、フィラメントが正常であるときに出力をＬレベルにし、フィラメントの断線などにより電流経路がなくなったことを検出すると出力をＨレベルにする。
【００３３】
ここに、直流電流を流す経路として、フィラメント−抵抗Ｒ５−フィラメントの経路が存在し、この経路内に第２のフィラメント検出回路６が挿入されているが、第２のフィラメント検出回路６は後述するように上記直流電流を通過させるように構成されている。また、第２のフィラメント検出回路６は出力トランスＴ１の２次巻線と放電ランプＬａとの間に挿入されているが、出力トランスＴ１の２次側から放電ランプＬａへの電力供給も妨げないにように構成されている。
【００３４】
放電ランプＬａの状態を検出する第３の情報は、放電ランプＬａの２つのフィラメントに流れる電流の大小関係である。つまり、第２のフィラメント検出回路６は、放電ランプＬａの各フィラメントに流れる電流の平衡・不平衡を検出するものであって、不平衡になると（つまり、各フィラメントに流れる電流の大きさが異なると）出力をＨレベルにし、平衡であれば出力をＬレベルに保つ。各フィラメントに流れる電流が不平衡になるのは、一方のフィラメントのみが断線した場合や放電ランプＬａの一端側でランプソケットとの接続状態が緩い場合（つまり、ルーズコンタクト状態の場合）などである。
【００３５】
ランプ寿命検出回路４の出力と第２のフィラメント検出回路６の出力とはＯＲ回路７を通してランプ異常保護回路８に入力され、第１のフィラメント検出回路５の出力はランプ異常保護回路８に直接入力される。したがって、放電ランプＬａの寿命末期時、ルーズコンタクト時に対するランプ異常保護回路８の動作を同じ動作にし、フィラメントの断線時に対するランプ異常保護回路８の動作をこれらとは別にすることが可能である。
【００３６】
ランプ異常保護回路８は、入力される信号のいずれかがＨレベルになると、点灯時よりも動作周波数を高くするようにインバータ制御回路ＣＮ２を制御する。したがって、出力トランスＴ１への供給電力が減少して放電ランプＬａへの印加電圧が低下し、スイッチング素子Ｑ２，Ｑ３への電圧ストレスの増加が防止される。つまり、インバータ回路２が保護される。ここにおいて、インバータ制御回路ＣＮ２は外部信号に応じて動作周波数を変化させるように制御され、予熱、始動、点灯に対応する動作周波数は外部信号により指示される。
【００３７】
また、第１のフィラメント検出回路５ないし第２のフィラメント検出回路６によりフィラメントの断線を検出してインバータ回路２の出力を低減するから、フィラメントの断線時に、コンデンサＣ６，Ｃ７や予熱巻線ｎｐに大きな電流が流れて発熱するということがなく、予熱トランスＴ２やコンデンサＣ６，Ｃ７に大型のものを用いる必要がないのである。
【００３８】
さらに、ルーズコンタクト状態を第２のフィラメント検出回路６が検出したときにもインバータ回路２の出力を低減するから、ルーズコンタクト状態において放電ランプＬａへの電力供給経路に高電圧が印加されることがなく、アークの発生によるスイッチング素子Ｑ２，Ｑ３の破損や構成部品の損傷を防止することができる。
【００３９】
ところで、ランプ寿命検出回路４はたとえば図２のように構成される。図示例では出力トランスＴ１の検出用巻線ｎ３の両端電圧を直流カット用のコンデンサＣ３を通して抵抗Ｒ７，Ｒ８により分圧した後、ダイオードＤ２により整流し、さらにコンデンサＣ８により平滑している。したがって、コンデンサＣ８の両端電圧は検出用巻線ｎ３の両端電圧の平均値に比例する。そこで、コンデンサＣ8の両端電圧をコンパレータＣＰ１で基準電圧Ｖｒｅｆ１と比較し、コンデンサＣ８の両端電圧が基準電圧Ｖｒｅｆ１以上であれば、異常（寿命末期）があると判断して出力をＨレベルにするのである。コンデンサＣ８の両端間に接続されたツェナーダイオードＺＤ４はブレークオーバ電圧が基準電圧Ｖｒｅｆ１よりも高いものであり、コンパレータＣＰ１への入力電圧を制限してコンパレータＣＰ１を保護するものである。
【００４０】
第１のフィラメント検出回路５は図３に示すように構成される。この構成例では、抵抗Ｒ４−フィラメント−抵抗Ｒ５→フィラメント−抵抗Ｒ６という直列回路にコンデンサＣ０から流した直流電流を、ダイオードＤ３により整流してコンデンサＣ９で平滑し、コンデンサＣ９の両端電圧を抵抗Ｒ１０，Ｒ１１で分圧した電圧をコンパレータＣＰ２により基準電圧Ｖｒｅｆ２と比較している。ツェナーダイオードＺＤ５はコンパレータＣＰ２への入力電圧を制限し、コンパレータＣＰ２を保護する機能を有する。第１のフィラメント検出回路５は、フィラメントの断線時にコンデンサＣ９の両端電圧が基準電圧Ｖｒｅｆ２よりも低下すると、コンパレータＣＰ２の出力をＨレベルにする。基準電圧Ｖｒｅｆ２は別途に構成されている直流電源を抵抗Ｒ１２，Ｒ１３により分圧することで得ている。なお、抵抗Ｒ４，Ｒ６を放電ランプＬａの非電源側に接続し、抵抗Ｒ５を放電ランプＬａの電源側（昇圧トランス側）に接続しているから、各抵抗Ｒ４，Ｒ６と抵抗Ｒ５との間にそれぞれフィラメントが介装され、この直列回路に微小な電流を流すだけでフィラメントの断線を容易に検出することができる。ここに、抵抗Ｒ４〜Ｒ６の放電ランプＬａに対する電源側と非電源側との接続関係は逆でもよい。
【００４１】
ところで、本実施形態では、フィラメントの断線時にインバータ回路２の動作周波数を予熱時と同じ周波数になるように構成してある。つまり、本実施形態においては、電源投入から一定時間の予熱を行なうように構成してあり、予熱時間はコンデンサＣ１１への充電時間により時限されている（コンデンサＣ１１を用いて構成されるタイマ回路は省略してある）。また、コンデンサＣ１１の両端電圧を引き下げると、タイマ回路が動作して予熱動作（つまり、動作周波数を高く設定する動作）を行なう。そこで、第１のフィラメント検出回路５は、コンパレータＣＰ２の出力がＨレベルになると、タイマ用のコンデンサＣ１１を短絡するように構成されている。つまり、コンパレータＣＰ２の出力によりトランジスタよりなる３個のスイッチング素子Ｑ１０〜Ｑ１２をオンオフさせるのであって、コンデンサＣ１１の両端間にコレクタ−エミッタ間が接続されたスイッチング素子Ｑ１２はコンパレータＣＰ２の出力がＨレベルになるとオンになるから、コンパレータＣＰ２の出力がＨレベルになるとコンデンサＣ１１の両端間が短絡される。この構成により、インバータ回路２から放電ランプＬａへの供給電力の抑制と予熱制御との回路部分を共用することができ、回路構成が簡素化される。
【００４２】
第２のフィラメント検出回路６は、たとえば図４に示すように構成されるものであって、出力トランスＴ１の２次巻線の各一端と各フィラメントとの間に挿入される２つの巻線を有したカレントトランスＴ３により構成される。このカレントトランスＴ３の２次巻線出力をＯＲ回路７を通してランプ異常保護回路８に入力するのである。カレントトランスＴ３は放電ランプＬａの点灯時に両フィラメントに流れる電流によって２次巻線出力が打ち消される極性に接続される。つまり、放電ランプＬａの各フィラメントの電源側端が、カレントトランスＴ３の２つの巻線の同方向の巻端に接続されるから、図４において黒丸印で示した巻端に対して一方の巻線で電流が流れ込む向きのときには他方の巻線では電流が流れ出す向きになり、両巻線に流れる電流が等しいときには２次巻線出力は完全に打ち消されることになる。一方、フィラメントの一方が断線したり、ルーズコンタクト状態になると、フィラメントに接続された２つの巻線に流れる電流の大きさが等しくなくなり、カレントトランスＴ３の２次巻線に出力が発生する。
【００４３】
そこで、ダイオードＤ４，Ｄ５によりワイヤードＯＲとして構成されたＯＲ回路７を通してランプ異常保護回路８に第２のフィラメント検出回路６の出力を与え、上述のようにカレントトランスＴ３の２次巻線出力が発生したときに、ランプ異常保護回路８の出力をＨレベルにする。ここで、ランプ異常保護回路８は、図２に示したランプ寿命検出回路４の一部と共用される。すなわち、図２に示したランプ寿命検出回路４のコンデンサＣ３と抵抗Ｒ７との直列回路にダイオードＤ４を介して抵抗Ｒ８を接続し、カレントトランスＴ３の２次巻線出力にダイオードＤ５および抵抗Ｒ９を介して抵抗Ｒ８を接続するのである。つまり、検出用巻線ｎ３の両端電圧は抵抗Ｒ７，Ｒ８により分圧され、カレントトランスＴ３の２次出力電圧は抵抗Ｒ９，Ｒ８により分圧されることになる。
【００４４】
この構成により、フィラメントの断線またはルーズコンタクト状態が生じたときには、放電ランプＬａの寿命末期時と同様に、コンパレータＣＰ１の出力がＨレベルになるのである。このように、ランプ異常検出回路８がランプ寿命保護回路４と第２のフィラメント検出回路６とに共用されることにより、回路構成が簡素化されることになる。
【００４５】
ところで、上述したように、第１のフィラメント検出回路５はフィラメントの断線時に予熱時間を時限するためのコンデンサＣ１１を短絡する機能を有するものであり、この機能をランプ寿命保護回路４および第２のフィラメント検出回路６と結び付けるために、図５に示すように、第１のフィラメント検出回路５におけるトランジスタＱ１０のベースにコンパレータＣＰ１の出力端を接続してある。また、第１のフィラメント検出回路５により異常（フィラメントの断線）が検出されると、その状態を保持するために、ランプ寿命検出回路４におけるコンパレータＣＰ１への基準電圧Ｖｒｅｆ１を引き下げてコンパレータＣＰ１の出力がＨレベルに保たれるようにしてある。つまり、抵抗Ｒ１４，Ｒ１５，Ｒ１６の直列回路に直流電源Ｖｃｃを印加し、抵抗Ｒ１４，Ｒ１５の接続点から基準電圧Ｖｒｅｆ１をコンパレータＣＰ１に与えるのであって、抵抗Ｒ１６にはトランジスタよりなるスイッチング素子Ｑ１３を並列接続し、スイッチング素子Ｑ１３のベースをスイッチング素子Ｑ１０のべースに共通に接続している。したがって、いずれか一方のコンパレータＣＰ1，ＣＰ２の出力がＨレベルになると、コンデンサＣ１１の両端間が短絡され、インバータ回路２の動作周波数が予熱時と同じ周波数になるのである。なお、図５においては第２のフィラメント検出回路６は省略してある。また、スイッチング素子Ｑ１３がオンになると抵抗Ｒ１６の両端間が短絡され、コンパレータＣＰ１の基準電圧Ｖｒｅｆ１が引き下げられる。つまり、コンパレータＣＰ１の出力がＨレベルになると、スイッチング素子Ｑ１３がオンになり、コンパレータＣＰ１の出力がＨレベルになる状態を維持することになる。図６に放電ランプＬａに異常が生じたときの各部の動作を示す。図６（ａ）はコンパレータＣＰ１への入力電圧（実線）と基準電圧（一点鎖線）Ｖｒｅｆ１との関係、図６（ｂ）はコンパレータＣＰ２への入力電圧（実線）と基準電圧（一点鎖線）Ｖｒｅｆ２との関係をそれぞれ示す。図６は放電ランプＬａの寿命末期を異常として検出した場合を示している。まず、期間ｔ１〜ｔ２の予熱時、期間ｔ２〜ｔ３の始動時、期間ｔ３〜ｔ４の定常点灯時にはコンパレータＣＰ１への入力電圧は基準電圧Ｖｒｅｆ１よりも低く、コンパレータＣＰ２への入力電圧は基準電圧Ｖｒｅｆ２よりも高いから、両コンパレータＣＰ１，ＣＰ２の出力はともにＬレベルであって、コンデンサＣ１１は短絡されない。
【００４６】
次に、時刻ｔ４において点灯中にランプ寿命検出回路４により寿命末期であることが検出されると、コンデンサＣ８の両端電圧が上昇するのに要する一定時間が経過した後に、時刻ｔ５においてコンパレータＣＰ１の出力がＨレベルになり、このとき基準電圧Ｖｒｅｆ１が引き下げられる。したがって、以後は予熱時と同じ動作周波数になり、放電ランプＬａの両端電圧は引き下げられ、インバータ回路２の回路構成素子にストレスがかかるのが防止される。
【００４７】
時刻ｔ６において放電ランプＬａを外すとコンパレータＣＰ２への入力電圧が基準電圧Ｖｒｅｆ２よりも下がるから、コンパレータＣＰ２の出力がＨレベルになる。このときには無負荷状態であるから、コンパレータＣＰ１の出力はＨレベルを保つ。
【００４８】
次に、時刻ｔ７において正常な放電ランプＬａを取り付けると、フィラメントに通電されるから第１のフィラメント検出回路５に設けたコンパレータＣＰ２の出力がＬレベルになる。このとき、放電ランプＬａが正常であることにより、コンパレータＣＰ１の出力もＬレベルになってスイッチング素子Ｑ１３がオフになり、さらに、スイッチング素子Ｑ１２がオフになってコンデンサＣ１１への充電が開始される。つまり、正常な放電ランプＬａを装着して電源を投入したときと同様に、予熱、始動の過程を経て定常点灯状態に至るのである。このように、放電ランプＬａに異常があるとインバータ回路２の動作周波数を予熱時と同じ周波数にして放電ランプＬａの両端間に高電圧が印加されるのを防止する保護動作を行ない、正常な放電ランプＬａを装着するとコンデンサＣ１１の両端間の短絡状態を解除するだけで予熱、始動、定常点灯を自動的に行なうのである。つまり、電源リセットが不要であり、簡単な構成になる。なお、上述の構成ではランプ異常保護回路８が異常と判断したときに、インバータ回路２の動作周波数を放電ランプＬａの予熱時の周波数と等しくしているが、必ずしも予熱時の周波数と完全に一致させる必要はなく、予熱時の周波数付近に設定しておけばよい。また、通常は放電ランプＬａの定常点灯時にはインバータ回路２の動作周波数を１０〜１００ｋＨｚの範囲内で設定し、予熱時ないし異常時（保護動作時）には１００ｋＨｚ以上に設定する。
【００４９】
（実施形態２）
本実施形態は、図７に示すように、実施形態１の構成から第２のフィラメント検出回路６を省略し、それに伴いＯＲ回路７も省略したものである。第２のフィラメント検出回路６ではフィラメントの断線のほかルーズコンタクト状態も検出するものであるが、ルーズコンタクト状態では出力トランスＴ１の２次側電圧が上昇するから、本実施形態ではランプ寿命検出回路４の基準電圧Ｖｒｅｆ１を調節することによりランプ寿命検出回路４でのルーズコンタクト状態の検出が可能である。したがって、本実施形態の構成により実施形態１の構成よりも部品点数を少なくして小形化、軽量化、低コスト化を実現できる可能性がある。
【００５０】
（実施形態３）
本実施形態は、図８に示すように、実施形態１の構成から第１のフィラメント検出回路５を省略し、それに伴って抵抗Ｒ４〜Ｒ６を省略したものである。第１のフィラメント検出回路５はフィラメントの断線を検出するために設けられたものであり、第２のフィラメント検出回路６においてもいずれか一方のフィラメントが断線したことを検出することができるから、第１のフィラメント検出回路５を省略しても実施形態１とほぼ同様の保護が可能である。したがって、本実施形態の構成により実施形態１の構成よりも部品点数を少なくして小形化、軽量化、低コスト化を実現できる可能性がある。
【００５１】
（実施形態４）
本実施形態は、図９に示すように、実施形態１の構成において、放電ランプＬａとして温度ヒューズＦを内蔵したものを用いた例である。すなわち、温度ヒューズＦはフィラメントを通る電路内に挿入されフィラメントの近傍に配置されているものであって、フィラメント付近の温度が異常に上昇したり、フィラメントに流れる電流が過大になるような異常が生じると、温度ヒューズＦが断線し、第１のフィラメント検出回路５の動作によりインバータ回路２が保護動作の状態になるのである。この構成では、温度ヒューズＦを備えた放電ランプＬａを用いることにより、より安全かつ信頼性の高い放電灯点灯装置を提供することができるものである。
【図面の簡単な説明】
【００５２】
【図１】本発明の実施形態１を示す回路図である。
【図２】同上の要部回路図である。
【図３】同上の要部回路図である。
【図４】同上の要部回路図である。
【図５】同上の要部回路図である。
【図６】同上の動作説明図である。
【図７】本発明の実施形態２を示す回路図である。
【図８】本発明の実施形態３を示す回路図である。
【図９】本発明の実施形態４を示す回路図である。
【図１０】従来例を示す回路図である。
【符号の説明】
【００５３】
２  インバータ回路
４  ランプ寿命検出回路
５  第１のフィラメント検出回路
６  第２のフィラメント検出回路
８  ランプ異常保護回路
Ｃ２  コンデンサ
Ｃ５  コンデンサ
Ｆ  温度ヒューズ
Ｌ２  インダクタ
Ｌａ  放電ランプ
ｎ３  検出用巻線
Ｔ１  予熱トランス
Ｔ１  出力トランス 
【図１】
2008159599.tif 000003
【図２】
2008159599.tif 000004
【図３】
2008159599.tif 000005
【図４】
2008159599.tif 000006
【図５】
2008159599.tif 000007
【図６】
2008159599.tif 000008
【図７】
2008159599.tif 000009
【図８】
2008159599.tif 000010
【図９】
2008159599.tif 000011
【図１０】
2008159599.tif 000012